(57)【特許請求の範囲】
【請求項１】
ネットワークに接続されて電子情報を送受信する通信手段と、公開された商品情報と対応するバーコードからなる公開商品マスターを保持するセンターサーバーと、
ネットワークに接続されて電子情報を送受信する通信手段と、バーコードを読み取るバーコードリーダーと、読み取ったバーコードを数字に変換してバーコード数字データを生成する手段と、製造業者が提供するバーコードと対応する商品情報を含む未公開商品マスターを保持する格納手段と、前記数字データが前記未公開商品マスターに存在するか否かを検索する検索手段と、前記検索手段が検索した検索結果を表示する表示手段とを備えた印刷業者端末とからなり、
前記センターサーバーは、前記印刷業者端末から送信されたバーコード数字データが、前記公開商品マスターに存在するか否かを検索し、検索結果を前記バーコード数字と対応する商品情報とともに前記印刷業者端末に送信することを特徴とするバーコード版下チェックシステム。
【請求項２】
ネットワークに接続されて電子情報を送受信する通信手段と、
バーコードの印刷を発注する製造業者より提供されるバーコードと対応する商品情報を含む未公開商品マスターを格納する格納手段と、
バーコードを読み取るバーコードリーダーと、
読み取ったバーコードを数字に変換してバーコード数字データを生成する手段と、
前記数字データが前記格納手段に格納された未公開商品マスターに存在するか否かを検索して検索結果を出力する検索手段と、
ネットワーク上に開設され、公開された商品情報に関してバーコードと対応する商品情報からなる公開商品マスターを保持するセンターサーバーに前記数字データを送信し、該数字データが前記公開マスターに存在するかの前記センタサーバが実行する検索結果を受信する受信手段と、
前記未公開商品マスター又は公開商品マスターについての検索結果を、読み取ったバーコード数字と該バーコードに対応する商品情報により表示させる表示手段とを備える、
請求項１のシステムにおける印刷業者端末。
【請求項３】
ネットワークに接続されて電子情報を送受信する通信手段と、公開された商品情報と対応するバーコードからなる商品マスターを保持する公開商品マスターを格納する格納手段と、
前記ネットワークに接続された印刷業者端末から送信されたバーコード数字データが、前記商品マスターに存在するか否かを検索する検索手段と、前記検索手段による検索結果を前記バーコード数字と対応する商品情報とともに前記印刷業者端末に送信する送信手段を備える請求項１のシステムにおけるセンターサーバー。
【発明の詳細な説明】
【０００１】
【発明の属する技術分野】
本発明は、バーコードの印刷に使用するバーコード版下の誤りをチェックするバーコード版下チェックシステム及びチェック方法に関し、特に、コンピュータとインターネットを利用したバーコード版下チェックシステムに関する。
【０００２】
【従来の技術】
現在、取り扱う物品に関する情報の処理を容易にするために、物品にバーコードを付すことが行われている。このバーコードは複数の黒い線を太さと間隔を変えながら並べてその組み合わせによってデータを表わすコードで、専用の読み取り機によってレジスタなどの処理機に入力し、対象物品に関する種々のデータ処理に使用される。使用形態の代表的なものとして、日用品や食品などの商品に適用する、いわゆるＰＯＳシステム（販売時点情報管理システム）がある。このＰＯＳシステムは、小売業において、どの商品がいつ、何個売れたかを把握するために、販売した時点で一品単位で情報を収集し、コンピュータで管理することを容易にするものである。
【０００３】
このＰＯＳシステムに使用されるバーコードとして、わが国では、日本工業規格（ＪＩＳ）で定められたＪＡＮ（Japan Article Number）が存在する。図１はこのJANバーコードの一例を示し、商品の生産国、メーカー名、商品名、価格などのデータを表わすのに使用される。このＪＡＮに従うバーコードを使用する場合は、このコードを管理する機関であるＪＩＣＦＳ（JAN Item Code File Service）に商品に関する必要項目と共に登録する。したがって、製造販売され、登録された（公開された）商品についてはＰＯＳデータとしてＪＩＣＦＳが管理している。
【０００４】
このバーコードはバーコードに光を当てて、反射した光を読み取るバーコードリーダで読み取り文字情報に変換してその後のデータ処理に使用される。
【０００５】
【発明が解決しようとする課題】
ところで、このバーコードの商品などの物品への付与は、予めバーコードを物品等の包装容器に印刷することによって行われる。
【０００６】
したがって、バーコードの使用に際しては、まず、その前段階として、商品毎の所定のデータを付与するバーコードを印刷した包装容器を準備することが必要となる。このバーコードの印刷は、商品の製造業者からの依頼により印刷業者によって行われる。製造業者はバーコードの印刷に際しては、印刷業者にバーコードの印刷に必要なコード数字を提供し、印刷業者はその情報に基づいてバーコードを印刷する。このバーコードは商品のアイテム単位で付されるものであり、そのバーコードの情報のその後の利用形態からすれば、バーコードは当然に正確に商品のアイテムの情報を表わしていなければならない。仮に、印刷したバーコードに誤りがあることが判明したとすれば、その包装容器は全て破棄しなければならない。また、包装容器で包装された後にそのバーコードに誤りがあると発見された場合には、包装容器ごと商品すべてを破棄しなければならない状況もでてくる。
【０００７】
そこで、印刷業者にあっては、バーコードの印刷に際し、本格的な大量印刷に入る前の、印刷の版下を製造した段階で版下を検査してバーコードが依頼された内容を正確に表わしているかどうかをチェックする必要がある。
【０００８】
製造された版下にエラーが生じる可能性のある場合としては、以下のような場合がある。
版下のバーコードが表すデータと製造業者が提供するデータ（依頼データ）とが一致しない。
依頼データ自体に誤がある、即ち、依頼データが本来の商品のデータを正確に示していない。
バーコードそのものの印刷精度が悪い。
【０００９】
従来、版下製造段階のチェックは、試験刷りしたバーコードをバーコードリーダーで読ませることにより、読み取った数字が依頼原稿の数字と一致しているかどうかでチェックする方法がとられているが、バーコードの精度はこれにより確認できるが、製造業者の依頼した原稿のエラーまではチェックはできない。また、印刷業者が扱う依頼者（製造業者）や製品の種類は多岐にわたるため、依頼原稿との突合せ作業も煩雑となり、作業負担も無視できないという問題があった。また、バーコードはPOＳシステムの場合、１３桁の数字で構成されるが、この数字データの突合せ作業も容易でなく、ミスやエラーの見落としの可能性もある。
【００１０】
そこで、本発明は、バーコードの印刷用の版下ができた段階で、依頼者である製造業者が意図する正しいバーコードの版下となっているかどうかを容易にチェックできるバーコード版下チェックシステム及びバーコード版下チェック方法を提供することを目的としてなされたものである。
【課題を解決するための手段】
上記目的を達成するための本発明の一つの態様は、
ネットワークに接続されて電子情報を送受信する通信手段と、公開された商品情報と対応するバーコードからなる公開商品マスターを保持するセンターサーバーと、
ネットワークに接続されて電子情報を送受信する通信手段と、バーコードを読み取るバーコードリーダーと、読み取ったバーコードを数字に変換してバーコード数字データを生成する手段と、バーコード数字データが製造業者が提供するバーコードと対応する商品情報を含む未公開商品マスターを保持し、前記数字データが前記未公開商品マスターに存在するか否かの検索結果を表示する表示手段と、を備えた印刷業者端末とからなり、
前記センターサーバーは、前記印刷業者端末から送信されたバーコード数字データが、前記商品マスターに存在するか否かを検索し、検索結果を前記バーコード数字と対応する商品情報とともに前記印刷業者端末に送信することを特徴とするバーコード版下チェックシステムである。
【００１１】
本発明のチェックシステムによれば、印刷依頼を受けたバーコードを印刷するために作成したバーコード版下段階のバーコードを印刷業者端末のバーコードリーダーで読み取り数値データ変換する。バーコードが製造業者の未公開の商品に関するものであれば、予め製造業者より提供を受けている商品情報により作成した未公開の商品マスターに読み取ったバーコードに該当数値が存在するかを検索する。該当する数値が存在すればその数値と共に対応する商品情報をディスプレイに表示する。
【００１２】
また、印刷依頼を受けたバーコードが公開された商品、すなわち、商品コード登録機関などに登録された商品に関するものであれば、公開された商品情報の検索サービスを行うためのセンターサーバーに接続して該当するコード数値が公開商品マスターに存在するかどうかを検索する。得られた検索結果は印刷業者端末のディスプレイに表示される。ディスプレイに表示された検索結果により作成したバーコード版下が依頼された内容と合致するかどうかが確認できる。
【００１３】
本発明の他の態様は、ネットワークに接続されて電子情報を送受信する通信手段と、
バーコードを読み取るバーコードリーダーと、
読み取ったバーコードを数字に変換してバーコード数字データを生成する手段と、
前記数字データを、前記ネットワークに接続され、公開された商品情報と対応するバーコードからなる商品マスターを保持するセンターサーバーに送信する手段を備え、
前記センターサーバーが実行する前記数字データが前記商品マスターに存在するか否かの検索結果を受信して前記バーコード数字データと対応する商品関連情報を表示する表示手段を備える端末装置である。
【００１４】
本発明の端末装置は、本システムを構成する利用者である印刷業者が使用する端末装置である。印刷依頼されたバーコードが公開された商品に関するものである場合、本端末装置の機能を使用して、すなわち、インターネット上に開設された公開商品情報を提供サービスするサイトに接続し、作成したバーコード版下を容易にチェックすることができる。
【００１５】
また本発明の他の態様は、ネットワークに接続されて電子情報を送受信する通信手段と、
バーコードの印刷を発注する製造業者より提供されるバーコードと対応する商品情報を含む未公開商品マスターを格納する格納手段と、
バーコードを読み取るバーコードリーダーと、
読み取ったバーコードを数字に変換してバーコード数字データを生成する手段と、
前記数字データが前記格納手段に格納された未公開商品マスターに存在するか否かを検索して検索結果を出力する検索手段と、
ネットワーク上に開設され、公開された商品情報に関してバーコードと対応する商品情報からなる公開商品マスターを保持するセンターサーバーに前記数字データを送信し、該数字データが前記公開マスターに存在するかの検索結果を受信する検索手段と、
前記検索結果を読み取ったバーコード数字と該バーコードに対応する商品情報とを表示させる表示手段とを備えるバーコード版下段階のバーコードをチェックする機能を備えた端末装置である。
【００１６】
本発明の端末装置は、上記端末装置の機能に加え、未公開商品に関するバーコードのバーコード版下のチェックを行う機能を備えている。これによって、未公開の商品についても、バーコード版下段階でバーコードを確実にチェックすることが可能となる。
【００１７】
また、本発明の他の態様は、バーコードを印刷するために作成したバーコード版下段階のバーコードをバーコードリーダーで読み取り数字に変換してバーコード数字データを生成し、
該生成したバーコード数字データが、予め作成されたバーコード数字と各バーコードに対応した商品情報からなる商品マスターに存在するか否かを検索し、存在する場合に、読み取ったバーコードの数字と対応する商品情報をディスプレイに表示させることを特徴とするバーコード版下チェック方法である。
【００１８】
本発明の方法により、バーコードの版下の作成段階で作成エラーを発見することができ、印刷エラーを未然に防ぐことが可能となる。
【００１９】
また、前記ディスプレイに表示される商品情報は、少なくとも商品名を含むことようにすることにより、チェックの信頼性をより高めることができる。
【００２０】
本発明の他の態様は、ネットワークに接続されて電子情報を送受信する通信手段と、公開された商品情報と対応するバーコードからなる商品マスターを保持する公開商品マスターを格納手段と、
前記ネットワークに接続された印刷業者端末から送信されたバーコード数字データが、前記商品マスターに存在するか否かを検索手段と、前記検索手段による検索結果を前記バーコード数字と対応する商品情報とともに前記印刷業者端末に送信することを特徴とするセンターサーバーである。
【００２１】
公開された商品コードと関連商品情報を依頼に応じて提供し、バーコード版下のチェックを行う依頼者の要請に応えることが可能となる。
【００２２】
【発明の実施の形態】
以下図面に基づき本発明の実施の形態を説明する。
【００２３】
図２は本発明バーコード版下チェックシステムの全体構成図を示す。
【００２４】
バーコード版下チェックシステム（以下、単に「本システム」という。）は、印刷業者ａの印刷業者端末１と、製造業者Bの製造業者端末２、商品情報サービスセンターＣ（以下、単に「センターＣ」という。）のセンターサーバー３から構成される。なお、ＤはPOSシステムのコード管理機関、Ｅは特定の業界の中間流通段階における物品のコードを管理する業界物品コード管理機関である。印刷業者端末１とセンター端末３はインターネット５を介して電子情報の授受を行うように接続されている。すなわち、サービスセンター３がインターネット上に商品情報を提供するサービスを行うサイトが開設され、印刷業者端末１よりこのサイトにアクセスしてバーコード版下チェックを行えるようにされている。
【００２５】
印刷業者端末１及び製造業者端末２は、通常のパーソナルコンピュータシステムである。図３にその一例としての印刷業者端末１の構成を示す。印刷業者端末１は、ＣＰＵ１１，RAM１２、ＲＯＭ１３、入力ユニット１４、ディスプレイ１５、補助記憶装置１６、通信ユニット１８、ＣＤ−ＲＯＭドライバ１７などを備え、通信ユニットより加入者回線など通信網を介してインターネットに接続可能とされている。なお、印刷業者端末１はコンピュータ装置１１の入出力ユニット１４に接続されるバーコードリーダー１９（図１参照）を備え、このバーコードリーダー１９で読み取ったバーコードデータを後述するチェックのための処理を行う機能を有している。すなわち、ＲＯＭ１３にはシステムプログラムが記憶され、例えば、ＣＤ−ＲＯＭドライバ１７によりＣＤ−ＲＯＭから読み込まれ、ＣＰＵ１１はＲＡＭ１２に展開されるアプリケーションプログラムにしたがって、格納する未公開商品情報からなる商品マスターの保持、更新、またバーコードリーダーで読み取ったコードに基づく商品マスターの検索など、版下チェックのための各種の処理を実行する。
【００２６】
また、センターサーバ３も同様にコンピュータ装置であり、内部に図示しないＣＰＵ，RAM、ROM、通信インターフェース、固定ディスクなどの記憶部を備え、サービスセンターが行うバーコード版下チェックに必要な処理を行う。具体的には、商品情報に関するデータである商品マスターの保持及び更新を行うとともに、印刷業者端末１より送信されるバーコード版下段階でのバーコードの読み取り数字に該当する数字が商品マスターに存在するかどうかの検索サービスを実行する。センターサーバー３が上記サービスを実行するプログラムには特定のＵＲＬが割り当てられており、このＵＲＬにより特定される商品情報提供サービスサイトに印刷業者端末１よりＵＲＬを指定して接続し、センターサーバー３が管理するデータを参照する検索サービスを受けることが可能となっている。
【００２７】
図２に示されら本システムにおいて、各事業者の業務の関係を説明すると次の通りである。
【００２８】
製造業者Ｂは製造販売する製品の包装容器に印刷するバーコードの印刷を印刷業者Ａにバーコードで表示すべき数字の伝達して依頼する。印刷業者Ａはこの依頼に基づきバーコードの印刷を行う。印刷業者Ａはバーコード印刷のために作成した版下を作成した段階で印刷業者端末１を利用してバーコード版下をチェックする。バーコード版下のチェックのための必要なデータはバーコードの種類により、製造業者Bより直接提供されるデータを使用するか、またはセンターCから提供されるデータを使用する。必要なデータの授受はネットワーク５を介して、または必要に応じて他の通信手段により行う。
【００２９】
センターCはバーコード版下のチェックに必要なデータをＰＯＳコード管理機関Ｄまたは業界コード管理機関Ｅより供給を受け、印刷業者Ａに提供する。
以下、本システムを利用して行うバーコード版下のチェック方法について説明する。
【００３０】
図４は本システムにおいて行われる業務処理の全体を説明するものである。
【００３１】
先ず、製造業者Ｂは印刷業者Ａへバーコードの印刷するに先立ち、商品が公開されるものであれば、商品情報を所定の機関に提供して登録する（イ）。この場合、扱う物品がＰＯＳシステムで扱われる商品であれば、ＰＯＳコード管理機関Dに設定した数字（１３桁）と必要な商品情報を登録する（イ）。また、物品がＰＯＳシステムで扱わない、例えば、業界物流シンボルコードのような業界固有のコードが付される場合には業界コード管理機関Ｅに登録しておく。ＰＯＳコード管理機関Dまたは業界コード管理機関Ｅに商品情報が登録される。そして、この商品情報は公開商品情報として扱われる。
【００３２】
サービスセンターCは、ＰＯＳコード管理機関Ｄや業界コード管理機関Ｅからこれらの公開商品情報の必要なデータ項目の提供を受けてセンターサーバのデータベースに商品マスターＭとして格納し、適宜更新していく（ハ）。
【００３３】
商品情報が、例えば、発売前のように未公開、未登録のものであれば製造業者Ｂは直接に印刷業者Ａに商品情報を提供する（ロ）。この場合、製造業者Bから印刷業者Ａに提供されるデータは図１のネットワーク５を介して印刷業者端末１に提供されるが、または磁気ディスクなどの記録媒体やファクシミリ等の他の通信手段でも可能である。提供された商品情報はコンピュータ装置１１に未公開商品マスターｍとして格納される。
製造業者Ｂがバーコードを印刷業者Ａに依頼する場合は、製造業者Ｂが、例えばＰＯＳシステムに準拠して商品に対して設定した数字（１３桁）を依頼データとして提供して依頼する（ニ）。
【００３４】
印刷業者Ａは、この依頼データに基づいてバーコードの印刷を行うが、印刷に当たり、先ず、バーコードの版下を作成する（ホ）。
【００３５】
次に、作成したバーコード版下をバーコードリーダー１９（図２）で読み取り（ヘ）、印刷業者端末１により読み取ったデータをもとにバーコードが正しくバーコード版下に表れているか否かのチェックが行われる（ト）。このチェックはバーコード版下から読み取ったデータが依頼された商品に対応して一致しているか否かについて印刷業者端末１が実行し、そのチェック結果を印刷業者端末１のディスプレイ（表示ユニット１５）に表示させて行うものである。
図５は、センターサーバ３が格納する商品マスターＭのデータ構造を示す。
【００３６】
商品マスターＭは、前述のように、ＰＯＳコード管理機関Ｄ又は業界コード管理機関から提供されるデータに基づいて作成されるもので、バーコードに対応する数字からなるコード番号とこのコード番号に対応する商品に関する情報、即ち、会社名、商品名、容器形態、登録年月日、・・・等からなる。この商品マスターは後述するバーコード版下のチェックに際し、読み取ったデータを照合するために利用されるものである。
【００３７】
なお、印刷業者端末１が保持する未公開商品マスターｍも上記商品マスターＭと基本的に同じデータ構造を有するが、登録機関への登録は行われていないため、登録年月日の項目は有しない。この未公開商品マスターｍは、製造業者Ｂより直接に印刷業者Ａに提供される商品情報に基づいて作成、更新されるものである。
【００３８】
以下、印刷業者端末１バーコード版下のチェックのための処理について説明する。
［商品が発売・発表前の場合］
図６は、商品が発売・発表前の場合に印刷業者端末１が実行するバーコード版下チェックの処理である。
【００３９】
先ず、前述したように、製作されたバーコード版下をバーコードリーダーで読み取り（Ｓ１０２）、読み取ったコードを数値化する（S１０２）。次に、読み取った数字をもとに、既に印刷業者端末１内に格納されている未公開商品マスターｍを検索する（Ｓ１０３）。この検索は読み取った数字に対応する全ての商品名を表示するものであり、以下のようにバーコードの読み取り状態に応じてディスプレイに表示される。
【００４０】
（ａ）バーコードの印刷が読み取りに適せず、全く読み取れない。この場合は、ディスプレイに何も表示させない（ステップ１０３ａ）。
【００４１】
（ｂ）バーコードの一部のみしか読み取れない。この場合、読み取ることのできた数字のみを表示し、商品マスターにない旨を表示する（Ｓ１０３ｂ）。
【００４２】
（ｃ）読み取ったバーコードに対応する商品が商品マスターに存在しない。この場合、数字だけを表示し、該等する商品は商品マスターにない旨を表示する（Ｓ１０３ｃ）。
【００４３】
（ｄ）バーコードに対応する商品が一つだけ存在する場合には、ディスプレイにはコード（数字）と商品名を表示する（Ｓ１０３ｄ）。
【００４４】
（ｅ）バーコードに対応する商品名が複数ある場合は入力年月日が最も古い商品を表示するとともに、コードに該当する商品が複数存在する旨を表示する（Ｓ１０３ｅ）。
【００４５】
以上のように、バーコード版下をバーコードリーダーで読み取り、数値化し、そのデータに基づき未公開商品マスターｍの商品を検索して、該当商品をディスプレイに表示させるようにしているため、バーコードがバーコードリーダーにより読み取り可能であるか否か、また、該当する商品が存在しているかどうか、更にその商品が印刷依頼した商品と一致しているか否か、即ち、依頼原稿自体に誤りがないか、ディスプレイに表示された結果により視覚的に把握することが可能となる。そして、バーコード版下のバーコードが適切か不適切を直ちに判断することができる。
図７は商品が既に発売され商品情報が公開されている場合の印刷業者端末１が実行する処理を説明する。
【００４６】
製作されたバーコード版下をバーコードリーダーで読み取り（Ｓ２０２）、読み取ったコードを数値化する（S２０２）点は前述の処理Ｓ１０１，Ｓ１０２と変わるところはない。次に、このケースの場合、バーコードとこれに対応する商品はセンターサーバ３に商品マスターＭとして格納されており、インターネットを経由してサービスセンターの照会サイトを呼び出し。読み取った数字をもとに、サービスセンターＣ内の商品マスターMを検索する（Ｓ２０３）。検索結果はインターネットを経由して印刷業者端末１に送信されディスプレイに表示される。この検索は読み取った数字に対応する全ての商品名及び登録年月日を表示するものであり、以下のようにバーコードの読み取り状態に応じてディスプレイに表示される。
【００４７】
（ａ）バーコードの印刷が読み取りに適せず、全く読み取れない。この場合は、ディスプレイに何も表示させない（ステップ２０３ａ）。
【００４８】
（ｂ）バーコードの一部のみしか読み取れない。この場合、読み取ることのできた数字のみを表示し、商品マスターにない旨を表示する（Ｓ２０３ｂ）。
【００４９】
（ｃ）読み取ったバーコードに対応する商品が商品マスターに存在しない。この場合、数字だけを表示し、該等する商品は商品マスターにない旨を表示する（Ｓ２０３ｃ）。
【００５０】
（ｄ）バーコードに対応する商品が一つだけ存在する場合には、ディスプレイにはコード（数字）と商品名を表示する（Ｓ２０３ｄ）。
【００５１】
（ｅ）バーコードに対応する商品名が複数ある場合は登録年月日が最も古い商品を表示するとともに、コードに該当する商品が複数存在する旨を表示する（Ｓ２０３ｅ）。
【００５２】
以上のように、既に発売されている商品については登録されたデータに基づいてチェックが行われるため、より信頼性の高いチェックが可能となる。
図８は、印刷業者端末１において発売・発表前の商品に関する未公開商品マスターｍの作成手順を説明する図である。
【００５３】
印刷業者端末１に格納される商品マスターは、製造業者Ｂより提供を受ける商品情報がインターネットなどの通信回線を介して提供されるか、又は電子媒体や紙などの記録媒体を介して提供されるかにより異なる。
【００５４】
製造業者Ｂより提供される商品情報がインターネットを介して送信される場合は、送信された情報を読み込み（Ｓ３０１）、記憶部に格納されている未公開商品マスターｍを更新する（Ｓ３０２）。
【００５５】
また、データが記録媒体を介して提供される場合でこの記録媒体がコンピュータ装置により読み取り可能な電子磁気記録媒体であれば、これを，記録媒体読み取り装置等により読み込む（Ｓ３０３）。そして、この読み込んだデータをもとに印刷業者端末１内の商品マスターｍを更新する。また、紙による提供であれば、印刷業者端末１のキーボードなどの入力装置を利用してデータを入力し（S３０４）、商品マスターＭを更新する（Ｓ４０２）。
【００５６】
以上のようにして、印刷業者端末１を使用してバーコード版下をチェックする場合に、商品情報が公開以前についても、的確に依頼データと照合することが可能となり、正確なチェックが可能となる。
図９は、製造業者Ｂが商品情報を登録して公開してからセンターＣのセンターサーバー３に格納されて商品マスターMが作成されるまでの情報のフローを示す図である。
【００５７】
製造業者Ｂは登録しようとする商品について、その商品がＰＯＳシステムで扱う商品であればＰＯＳコード管理機関（ＪＩＣＦＳ）Ｄに登録する（Ｓ５０２）。また、その商品コードがＪＩＣＦＳに登録されていない場合は業界コード管理機関Ｅに登録する（Ｓ５０３）。なお、ＪＩＣＦＳに登録されていないコードとしては、物流シンボルコードやその他業界固有のコードがある。
【００５８】
センターＣはＰＯＳコード管理機関（ＪＩＣＦＳ）Ｄ及び業界コード管理機関Ｅよりバーコード版下のチェックに必要なデータの提供を受け、サーバー３内の商品マスターＭを更新する（Ｓ５０４）。
【００５９】
これらの商品マスターＭは既に述べたように、印刷業者端末１よりアクセスされ、バーコードリーダー１２で読み取った数字データに基づき、バーコード版下のチェックに供される。
【００６０】
図１０は、印刷業者端末１を使用してバーコード版下をチェックする場合に印刷業者端末１のディスプレイ１２に表示され画面の例を示す。
【００６１】
図１０（ａ）はバーコードを読み取り、チェック結果の対応する単品の商品データが表示されている画面である。すなわち、図６又は図７に示したバーコード版下のチェック処理において、バーコードが読み取られ、図６のＳ１０３ｄ又は図７のＳ２０３ｄのステップにおいて、該当する商品が単品で存在するチェック結果の例をすものである。バーコード版下をバーコードリーダーで読み取った結果、バーコードの数字は１３桁の４９０１８８０１１０６８であり、商品マスターとの照合の結果、この数字に該当するものはＭ社の「生」Ｒラベル、缶Ａ３５０の商品名の商品であることを表している。
【００６２】
したがって、バーコードが正しく依頼された数字として読み取られるか否か、また、その商品が依頼の商品であるかどうかがこの画面を確認することにより容易に判断することが可能となる。
【００６３】
図１０（ｂ）は図７の処理において、読み取ったデータが物流シンボルコード（中間流通段階で使用される梱包又は包装容器に付されるコード）である例を示す。このコードは１６桁の数字からなり、バーコードを読み取って変換した数字０１０４９０１８８０１１０６８９と、対応する商品名を示している。この例は、船による積荷用梱包容器に付されるものである。
【００６４】
以上のように、バーコード版下を印刷業者端末１のバーコードリーダー１３で読み取り、その読み取った結果が印刷業者端末１のディスク２に数字と対応する商品情報とが表示されるため、バーコード版下のバーコードが正しいかどうかのチェックが容易にできる。
【００６５】
また、読み取った数字の照合を、商品情報がすでに登録機関に登録されたものである場合には、適正に管理されている信頼のおける登録データと照合するようにしているため、確度の高いチェックが可能となる。
【００６６】
なお、図１に示した本発明によるバーコード版下チェックシステム図において、印刷業者Ａ、製造業者Ｂは、それぞれ１つの業者のみが示されているが、複数の印刷業者、複数の製造業者がこのシステムを構成するようにできることは言うまでもない。
【００６７】
以上本発明の好ましい実施例について詳述したが、本発明は係る特定の実施形態に限定されるものではなく、特許請求の範囲に記載された本発明の要旨の範囲内において、種々の変形・変更が可能である。
【００６８】
【発明の効果】
以上詳述したところから明らかなように、
バーコード版下の段階でこれをバーコードリーダーで読み取り、読み取り結果と対応する商品名をディスプレイに表示させるようにしているため、バーコード版下のチェックが容易となり、バーコードの印刷エラーを防ぐことができる。
【００６９】
また、登録機関から供給されるデータを照合データとして使用するため、信頼性の高いチェックが可能となるとともに、依頼原稿自体の誤りも発見することが可能となる。
【図面の簡単な説明】
【図１】バーコードの例を示す図である。
【図２】本発明のバーコード版下チェックシステムの全体構成図である。
【図３】本発明のシステムの印刷業者端末の構成図である。
【図４】本発明のバーコード版下チェックシステムにおける事業者間の業務の流れを示す図である。
【図５】商品マスターの構造を示す図である。
【図６】印刷業者端末の実行する未公開商品に関する処理フロー図である。
【図７】印刷業者端末の実行する公開商品に関する処理フロー図である。
【図８】印刷業者端末の商品マスター作成フロー図である。
【図９】商品情報サービスセンターサーバーの商品マスター作成フロー図である。
【図１０】バーコード版下チェックの結果の表示画面を示す図である。
【符号の説明】
１  印刷業者端末
２  製造業者端末
３  商品情報サービスセンター端末
５  ネットワーク
【図１】
0004087122.tif 000002
【図２】
0004087122.tif 000003
【図３】
0004087122.tif 000004
【図４】
0004087122.tif 000005
【図５】
0004087122.tif 000006
【図６】
0004087122.tif 000007
【図７】
0004087122.tif 000008
【図８】
0004087122.tif 000009
【図９】
0004087122.tif 000010
【図１０】
0004087122.tif 000011